(57)【要約】【課題】半導体電力変換装置に接続される入力フィルタとリアクトルは設置するためのスペースが大きくなりまたその接続はユーザが実施するために配線工数が増えたという問題を解決する半導体電力変換装置を提供する。【解決手段】交流電源１を整流して直流に変換する整流回路２と、整流された直流電圧を平滑する平滑回路３と、直流を任意の周波数に変換する逆変換回路４とを備えた半導体電力変換装置５であって、さらに交流電源１と整流回路２の間に接続される入力フィルタ６と、整流回路２と平滑回路３の間の正・負いずれかの出力母線に直列に挿入された直流リアクトル７とを有する半導体電力変換装置５において、入力フィルタ６と直流リアクトル７と互いに近接させかつ１つのモジュール８に内蔵した。【選択図】図１
2005287183.tif 000002
【特許請求の範囲】
【請求項１】
交流電源を整流して直流に変換する整流回路と、整流された直流電圧を平滑する平滑回路と、直流を任意の周波数に変換する逆変換回路とを備えた半導体電力変換装置であって、さらに前記交流電源と前記整流回路の間に接続される入力フィルタと、前記整流回路と前記平滑回路の間の正・負いずれかの出力母線に直列に挿入された直流リアクトルとを有する半導体電力変換装置において、
前記入力フィルタと前記直流リアクトルと互いに近接させかつ１つのモジュールに内蔵したことを特徴とする半導体電力変換装置。
【請求項２】
交流電源を整流して直流に変換する整流回路と、整流された直流電圧を平滑する平滑回路と、直流を任意の周波数に変換する逆変換回路とを備えた半導体電力変換装置であって、さらに前記交流電源と前記整流回路の間に接続される入力フィルタと、該入力フィルタの後段に接続される交流リアクトルとを有する半導体電力変換装置において、
前記入力フィルタと前記交流リアクトルと互いに近接させかつ１つのモジュールに内蔵したことを特徴とする半導体電力変換装置。
【請求項３】
前記入力フィルタおよび前記直流リアクトルがそれぞれシールドケーブルを備えたものにおいて、該シールドケーブルのシールド部をクランプする各コネクタを前記モジュールに内蔵したことを特徴とする請求項１記載の半導体電力変換装置。
【請求項４】
前記入力フィルタおよび前記交流リアクトルがそれぞれシールドケーブルを備えたものにおいて、該シールドケーブルのシールド部をクランプする各コネクタを前記モジュールに内蔵したことを特徴とする請求項２記載の半導体電力変換装置。
【発明の詳細な説明】
【技術分野】
【０００１】
本発明は半導体電力変換装置に関するもので、特に半導体電力変換装置から発生する放射および伝導ノイズを抑制する入力フィルタと、高調波電流を抑制するリアクトルとに関する。
【背景技術】
【０００２】
半導体電力変換装置から発生する放射および伝導ノイズを抑制するために入力フィルタおよび高調波電流を抑制するリアクトルを半導体電力変換装置に用いることは従来より行われている（特許文献１参照）。
【特許文献１】特開平１１−３４１７８７号公報
【０００３】
図５はこのような部品を備えた従来の半導体電力変換装置のブロック構成図を示している。
図５において、１は交流電源、２は交流電源を整流して直流に変換する整流回路、３は整流された直流電圧を平滑する平滑回路、４は直流を任意の周波数に変換する逆変換回路（インバータ）であり、５は前記交流電源２，平滑回路３，逆変換回路４とから成る半導体電力変換装置である。６は交流電源と整流回路の間に接続される入力フィルタ、７は整流回路と平滑回路の間の正負いずれかの出力母線に直列に挿入された直流リアクトルで構成される。
このように、入力フィルタ６と直流リアクトル７は個別に配置している。
したがって従来の半導体電力変換装置５にあっては、そこに接続される入力フィルタとリアクトルは個別に接続されている。
【発明の開示】
【発明が解決しようとする課題】
【０００４】
従来の半導体電力変換装置５に接続される入力フィルタとリアクトルは個別に接続されているので、入力フィルタやリアクトルを設置するためのスペースが大きく、またその接続はユーザが実施するために配線工数が増えるという問題があった。
本発明はこのような問題点に鑑みてなされたものであり、前記フィルタユニットの小型低廉化とユーザ配線工数削減を図ることを目的とする。
【課題を解決するための手段】
【０００５】
上記問題を解決するため、請求項１に記載の半導体電力変換装置の発明は、交流電源を整流して直流に変換する整流回路と、整流された直流電圧を平滑する平滑回路と、直流を任意の周波数に変換する逆変換回路とを備えた半導体電力変換装置であって、さらに前記交流電源と前記整流回路の間に接続される入力フィルタと、前記整流回路と前記平滑回路の間の正・負いずれかの出力母線に直列に挿入された直流リアクトルとを有する半導体電力変換装置において、前記入力フィルタと前記直流リアクトルと互いに近接させかつ１つのモジュールに内蔵したことを特徴とする。
請求項２に記載の半導体電力変換装置の発明は、交流電源を整流して直流に変換する整流回路と、整流された直流電圧を平滑する平滑回路と、直流を任意の周波数に変換する逆変換回路とを備えた半導体電力変換装置であって、さらに前記交流電源と前記整流回路の間に接続される入力フィルタと、該入力フィルタの後段に接続される交流リアクトルとを有する半導体電力変換装置において、前記入力フィルタと前記交流リアクトルと互いに近接させかつ１つのモジュールに内蔵したことを特徴とする。
請求項３に記載の発明は、請求項１記載の半導体電力変換装置において、前記入力フィルタおよび前記直流リアクトルがそれぞれシールドケーブルを備えたものにおいて、該シールドケーブルのシールド部をクランプする各コネクタを前記モジュールに内蔵したことを特徴とする。
請求項４に記載の発明は、請求項２記載の半導体電力変換装置において、前記入力フィルタおよび前記交流リアクトルがそれぞれシールドケーブルを備え、該シールドケーブルのシールド部をクランプする各コネクタを前記モジュールに内蔵したことを特徴とする。
【発明の効果】
【０００６】
請求項１に記載の発明によると、入力フィルタと直流リアクトルとから成るフィルタユニットの小型低廉化とユーザ配線工数削減を図ることができる。
また、請求項２に記載の発明によると、入力フィルタと交流リアクトルとから成るフィルタユニットの小型低廉化とユーザ配線工数削減を図ることができる。
また、請求項３に記載の発明によると、シールドケーブルのシールド部をクランプする各コネクタを前記モジュールに内蔵したので、配線のメンテナンス性向上を図ることができる。
また、請求項４に記載の発明によると、シールドケーブルのシールド部をクランプする各コネクタを前記モジュールに内蔵したので、配線のメンテナンス性向上を図ることができる。
【発明を実施するための最良の形態】
【０００７】
以下、本発明の実施の形態について図を参照して説明する。
【実施例１】
【０００８】
図１は、本発明の第１実施例に係る半導体電力変換装置を示すブロック図である。図１において、１は交流電源、２は交流電源を整流して直流に変換する整流回路、３は整流された直流電圧を平滑する平滑回路、４は直流を任意の周波数に変換する逆変換回路、５は前記整流回路２，平滑回路３，逆変換回路４とを備えた半導体電力変換装置（インバータ）、６は交流電源と整流回路の間に接続される入力フィルタ、７は整流回路と平滑回路の間に正負いずれかの出力母線に直列に挿入された直流リアクトル、８は前記入力フィルタ６，直流リアクトル７とを備えたフィルタユニットである。
第１実施例が従来技術と異なる部分は、入力フィルタ６と直流リアクトル７とを１つのモジュールに内蔵した点であり、これが第１実施例の特徴である。
入力フィルタ６と直流リアクトル７とを１つのモジュールに内蔵することにより、半導体電力変換装置の小型低廉化とユーザ配線工数削減をすることが出来る。
【実施例２】
【０００９】
図２は本発明の第２実施例に係る半導体電力変換装置を示すブロック図である。  図において、１は交流電源、２は交流電源を整流して直流に変換する整流回路、３は整流された直流電圧を平滑する平滑回路、４は直流を任意の周波数に変換する逆変換回路であり、５は前記整流回路２，平滑回路３，逆変換回路４とを備えた半導体電力変換装置（インバータ）、６は交流電源と整流回路の間に接続される入力フィルタ、９は前記入力フィルタ６の後段に挿入された交流リアクトル、１０は前記入力フィルタ６と交流リアクトル９とを備えたフィルタユニットである。
第２実施例が第１実施例と異なる点は、入力フィルタ６と交流リアクトル９とを１つのモジュールに内蔵することにより、さらに配線を削減していることである。このように入力フィルタ６と交流リアクトル９とを１つのモジュール１０に内蔵することにより、第１実施例よりさらにユーザ配線工数削減をすることが出来る。
【実施例３】
【００１０】
図３は本発明の第３実施例に係る半導体電力変換装置を示すブロック図である。  図において、５は半導体電力変換装置、８はフィルタユニット、１１はシールドケーブルのシールド部をクランプするコネクタ、１２はシールドケーブルである。第３実施例が第１実施例と異なる点は、シールドケーブル１２のシールド部をクランプするコネクタを内蔵することにより、配線のメンテナンス性を向上していることである。
このように、フィルタユニット８にコネクタ１１を内蔵することにより、配線の手間が省けるとともに、点検・清掃等のメンテナンス性を向上することが出来る。
【実施例４】
【００１１】
図４は第４実施例に係る半導体電力変換装置を示すブロック図である。
図において、５は半導体電力変換装置、９はフィルタユニット、１１はシールドケーブルのシールド部をクランプするコネクタ、１２はシールドケーブルである。
第４実施例が請求項２と異なる点は、さらに、シールドケーブル１２のシールド部をクランプするコネクタ１１を内蔵させた点であり、これにより、さらに配線のメンテナンス性を向上している。このように、フィルタユニット９にコネクタ１１を内蔵することにより、配線のメンテナンス性を向上することが出来る。
以上のように、本発明によれば、半導体電力変換装置から発生する放射および伝導ノイズを抑制する入力フィルタと、高調波電流を抑制するリアクトルとを１つのモジュールに内蔵することにより、半導体電力変換装置の小型低廉化とユーザ配線工数削減をすることが出来る。
【図面の簡単な説明】
【００１２】
【図１】本発明の第１実施例に係る構成を示すブロック図である。
【図２】第２実施例に係る構成を示すブロック図である。
【図３】第３実施例に係る構成を示すブロック図である。
【図４】第４実施例に係る構成を示すブロック図である。
【図５】従来の構成を示すブロック図である。
【符号の説明】
【００１３】
１  交流電源
２  整流回路
３  平滑回路
４  逆変換回路
５  整流回路２，平滑回路３，逆変換回路４とを備えた半導体電力変換装置
６  入力フィルタ
７  直流リアクトル
８  入力フィルタ６と直流リアクトル７とを備えたフィルタユニット
９  交流リアクトル
１０  入力フィルタ６と交流リアクトル９とを備えたフィルタユニット
１１  シールドケーブルのシールド部をクランプするコネクタ
１２  シールドケーブル
【図１】
2005287183.tif 000003
【図２】
2005287183.tif 000004
【図３】
2005287183.tif 000005
【図４】
2005287183.tif 000006
【図５】
2005287183.tif 000007